(57)【要約】【課題】  加熱から冷却への切り換えを短時間で行うことができる加熱冷却装置を提供する。【解決手段】  反応釜１のジャケット部２に冷却用循環通路３と加熱用循環通路１９を接続する。冷却用循環通路３には、バルブ４，５を介して冷却用エゼクタ６と接続する。加熱用循環通路１９にはバルブ２４を介して加熱用エゼクタ２２と接続する。加熱用循環通路１９と冷却用循環通路３を循環通路連通路２５で連通する。  反応釜１の加熱時には、循環通路連通路２５とバルブ４，５，２４で冷却用循環通路３内にタンク８内の流体が逆流して滞留することを防止することができる。【選択図】  図１
2006170512.tif 000002
【特許請求の範囲】
【請求項１】
被熱交換物を加熱あるいは冷却する熱交換室を、加熱用あるいは冷却用の循環通路でエゼクタと連通して、当該エゼクタにタンクを介して循環ポンプと接続したものにおいて、加熱用循環通路と冷却用循環通路をそれぞれ連通遮断する弁部材を取り付けると共に、加熱用循環通路と冷却用循環通路を連通する循環通路連通路を設けたことを特徴とする加熱冷却装置。
【発明の詳細な説明】
【技術分野】
【０００１】
本発明は、熱交換室内で被熱交換物を直接に又は間接に熱交換して、被熱交換物を加熱又は冷却する加熱冷却装置に関する。
【背景技術】
【０００２】
加熱冷却装置は、熱交換室を加熱用エゼクタ又は冷却用エゼクタと連通して、当該エゼクタに共通タンクを介して循環ポンプと接続することによって、加熱と冷却の切り換えを短時間で行うことができるものである。
【０００３】
この加熱冷却装置においては、未だ加熱から冷却への切り換えに時間を要してしまい、その結果として加熱冷却装置の制御性を悪化させる問題があった。これは、加熱から冷却へ切り換える場合に、冷却用循環通路に加熱用循環通路の循環流体の一部が残留しており、この残留流体を排除するのに時間を要してしまうためである。
【特許文献１】特開２００２−３１４５０号公報
【発明の開示】
【発明が解決しようとする課題】
【０００４】
解決しようとする課題は、冷却用循環通路に循環流体が残留しないようにすることによって、加熱から冷却への切り換えを短時間で行うことができ、その結果、無駄時間をなくして加熱冷却装置の制御性を向上させることのできる加熱冷却装置を提供することである。
【課題を解決するための手段】
【０００５】
本発明は、被熱交換物を加熱あるいは冷却する熱交換室を、加熱用あるいは冷却用の循環通路でエゼクタと連通して、当該エゼクタにタンクを介して循環ポンプと接続したものにおいて、加熱用循環通路と冷却用循環通路をそれぞれ連通遮断する弁部材を取り付けると共に、加熱用循環通路と冷却用循環通路を連通する循環通路連通路を設けたことを特徴とする。
【発明の効果】
【０００６】
本発明の加熱冷却装置は、加熱用循環通路と冷却用循環通路に弁部材を取り付けると共に、加熱用循環通路と冷却用循環通路を連通する循環通路連通路を設けたことにより、冷却用循環通路に循環通路連通路を介してエゼクタと連通することによって、冷却用循環通路に滞留する流体をエゼクタで吸引して排除することができ、加熱から冷却への切り換えを短時間で行うことができる。
【発明を実施するための最良の形態】
【０００７】
本発明は、加熱用循環通路に加熱用のエゼクタを接続し、また、冷却用循環通路に冷却用のエゼクタを接続して、それぞれのエゼクタを共通のタンクと接続し、加熱を行う場合は加熱用エゼクタのみを駆動し、また、冷却を行う場合は冷却用エゼクタのみを駆動するものである。
【実施例１】
【０００８】
本実施例においては、熱交換室として加熱や冷却を行う反応釜１を用いた例を示す。反応釜１の内部に入れた図示しない被熱交換物を、ジャケット部２に供給する加熱源としてのスチームや冷却源としての冷却水によって加熱あるいは冷却するものである。
【０００９】
反応釜１のほぼ全周にわたりジャケット部２を形成し、ジャケット部２の右側方から冷却用循環通路３に弁部材としてのバルブ４，５を取り付けて冷却用のエゼクタ６と接続する。エゼクタ６はそのディフューザ部７をタンク８内に配置して取り付ける。タンク８の下方を管路９で循環ポンプ１０と接続し、更に管路１１でエゼクタ６のノズル部１２と連通する。
【００１０】
ノズル部１２の側方には冷却用循環通路３の一端を接続してジャケット部２と連通する。タンク８内の冷却水等の液体が循環ポンプ１０で循環され、管路１１からエゼクタ６のノズル部１２を通ってタンク８内へと循環する。タンク８の右側上部には、冷却流体補充供給管１３と不凝縮気体排出管兼オーバーフロー管１４をそれぞれ接続する。
【００１１】
反応釜１のジャケット部２に、加熱用の蒸気供給管１５と冷却用の冷却水供給管１６をそれぞれ接続する。蒸気供給管１５には供給する蒸気の圧力を制御するための圧力制御弁１７を取り付け、また、冷却水供給管１６には供給する冷却水量を制御する制御弁１８を取り付ける。
【００１２】
ジャケット部２の下端部に加熱用の蒸気が凝縮した復水を排出する加熱用循環通路１９を接続する。加熱用循環通路１９には、開閉弁２０と、蒸気は排出することがなく復水だけを自動的に出口側へ排出することのできる蒸気トラップ２１を並行に配置して、加熱用のエゼクタ２２と接続する。また、加熱用循環通路１９のエゼクタ２２側に弁手段としてのバルブ２４を取り付ける。
【００１３】
加熱用のエゼクタ２２は、タンク８と循環ポンプ２３で構成し、循環ポンプ２３の駆動によってタンク８内の流体をエゼクタ２２に供給して、エゼクタ２２でジャケット部２内の復水及び一部の凝縮しきれなかった蒸気を吸引するものである。
【００１４】
加熱用循環通路１９と冷却用循環通路３を連通する循環通路連通路２５を接続する。
【００１５】
反応釜1内の図示しない被熱交換物を加熱する場合は、蒸気供給管１５から加熱に適した温度の蒸気をジャケット部２へ供給することによって、蒸気が反応釜1内の被熱交換物に熱を与えて加熱する。加熱により蒸気の凝縮した復水及び凝縮しなかった蒸気の一部は、蒸気トラップ２１あるいは開閉弁２０と加熱用循環通路１９を通ってエゼクタ２２に吸引されタンク８に至る。
【００１６】
このように反応釜１を加熱する場合は、加熱用循環通路１９のバルブ２４を開弁し、冷却用循環通路３のバルブ４は開弁しバルブ５は閉弁することによって、冷却用循環通路３内へエゼクタ６からタンク８内の流体が逆流して滞留することが防止されると共に、冷却用循環通路３内はエゼクタ２２によって所定の圧力状態に維持される。
【００１７】
一方、反応釜１内の被熱交換物を冷却する場合は、冷却水供給管１６から所定温度の冷却水をジャケット部２へ供給すると共に、循環ポンプ１０を駆動して冷却用エゼクタ６でジャケット部２内の流体を吸引することによって、ジャケット部２内を所定の圧力状態、例えば、大気圧以下の真空状態、とすることにより、冷却流体が反応釜１内の被熱交換物の熱を奪って蒸発することにより、その蒸発潜熱によって被熱交換物を気化冷却することができるものである。
【００１８】
このように反応釜１を冷却する場合は、冷却用循環通路３のバルブ４，５を開弁し、加熱用循環通路１９のバルブ２４は閉弁しておく。
【００１９】
上記のように加熱から冷却に切り換える場合、従来の場合は冷却用循環通路３内にタンク８内の流体が逆流して滞留していたために、その滞留流体を吸引するのに所定時間を要していたが、本実施例においては、冷却用循環通路３内にタンク８内の流体が逆流して滞留することがないために、流体を吸引する必要がなく、反応釜１の制御に関する無駄時間を生じることがない。
【００２０】
ジャケット部２で被冷却物の熱を奪って蒸発気化した気化蒸気は、冷却用循環通路３からエゼクタ６に吸引されタンク８に至る。
【図面の簡単な説明】
【００２１】
【図１】本発明の加熱冷却装置の実施例を示す構成図。
【符号の説明】
【００２２】
１  反応釜
２  ジャケット部
３  冷却用循環通路
４，５  バルブ
６  冷却用エゼクタ
８  タンク
１０  循環ポンプ
１２  ノズル部
１５  蒸気供給管
１６  冷却水供給管
１９  加熱用循環通路
２２  加熱用エゼクタ
２３  循環ポンプ
２４  バルブ
２５  循環通路連通路
【図１】
2006170512.tif 000003